【手続補正書】
【提出日】平成27年5月21日(2015.5.21)
【手続補正１】
【補正対象書類名】明細書
【補正対象項目名】発明の名称
【補正方法】変更
【補正の内容】
【発明の名称】情報処理装置、情報処理システム、制御方法、及びプログラム
【手続補正２】
【補正対象書類名】明細書
【補正対象項目名】００１２
【補正方法】変更
【補正の内容】
【００１２】
そこで、本発明では上記課題を鑑み、撮影機能を備えた装置で撮影して得られた画像が認識できない場合に、画像処理装置において、撮影して得られた画像を容易に読み取らせて認識結果を得ることが可能な仕組みを提供することを目的とする。
【手続補正３】
【補正対象書類名】明細書
【補正対象項目名】００１３
【補正方法】変更
【補正の内容】
【００１３】
本発明は、紙媒体の記載内容をデータとして登録する情報処理装置であって、撮影機能を備えた装置によって前記紙媒体を撮影して得られた画像データを受信する受信手段と、前記受信手段で受信した画像データに対する文字認識を行う認識手段と、画像処理装置で前記紙媒体をスキャンさせるための設定にかかるスキャンチケットを生成する生成手段と、前記生成手段によって生成したスキャンチケットを用いて前記画像処理装置で前記紙媒体をスキャンして得られた画像データを受け付ける受付手段と、前記認識手段の文字認識結果に従って、前記撮影して得られた画像データからデータを登録するべく、前記生成手段によってスキャンチケットを生成することなく、前記受信手段で受信した画像データから取得されるデータを登録するか、あるいは、前記撮影して得られた画像データからデータを登録せずに、前記生成手段によってスキャンチケットを生成して、前記受付手段によって受け付けた当該スキャンチケットを用いてスキャンして得られた画像データから、取得されるデータを登録するかを切り替える登録切替手段と、を備えたことを特徴とする。
【手続補正４】
【補正対象書類名】特許請求の範囲
【補正対象項目名】全文
【補正方法】変更
【補正の内容】
【特許請求の範囲】
【請求項１】
紙媒体の記載内容をデータとして登録する情報処理装置であって、
撮影機能を備えた装置によって前記紙媒体を撮影して得られた画像データを受信する受信手段と、
前記受信手段で受信した画像データに対する文字認識を行う認識手段と、
画像処理装置で前記紙媒体をスキャンさせるための設定にかかるスキャンチケットを生成する生成手段と、
前記生成手段によって生成したスキャンチケットを用いて前記画像処理装置で前記紙媒体をスキャンして得られた画像データを受け付ける受付手段と、
前記認識手段の文字認識結果に従って、前記撮影して得られた画像データからデータを登録するべく、前記生成手段によってスキャンチケットを生成することなく、前記受信手段で受信した画像データから取得されるデータを登録するか、あるいは、前記撮影して得られた画像データからデータを登録せずに、前記生成手段によってスキャンチケットを生成して、前記受付手段によって受け付けた当該スキャンチケットを用いてスキャンして得られた画像データから、取得されるデータを登録するかを切り替える登録切替手段と、
を備えたことを特徴とする情報処理装置。
【請求項２】
前記認識手段は、前記受付手段によって受付けた画像データの文字認識を行い、
前記登録切替手段は、前記生成手段によってスキャンチケットを生成することなく、前記受付手段によって受付けた画像データの前記認識手段によって文字認識して得られるデータを登録することを特徴とする請求項１に記載の情報処理装置。
【請求項３】
前記登録切替手段は、前記認識手段の文字認識結果によらずに、前記生成手段によってスキャンチケットを生成することなく、前記受付手段によって受付けた画像データの前記認識手段によって文字認識して得られるデータを登録することを特徴とする請求項２に記載の情報処理装置。
【請求項４】
前記生成手段によって生成したスキャンチケットに対応して前記受信手段によって受信した画像データを前記画像処理装置の表示部へサムネイル表示するための表示情報を生成する表示情報生成手段を備えたことを特徴とする請求項１乃至３の何れか１項に記載の情報処理装置。
【請求項５】
前記生成手段によって生成したスキャンチケットを特定するための特定情報を前記撮影機能を備えた装置へ通知する通知手段を備えたことを特徴とする請求項１乃至４の何れか１項に記載の情報処理装置。
【請求項６】
前記生成手段は、前記認識手段の文字認識結果の内容に応じて、スキャンの設定内容を異ならせて前記スキャンチケットを生成することを特徴とする請求項１乃至５の何れか１項に記載の情報処理装置。
【請求項７】
前記画像処理装置に対して前記紙媒体の印刷指示がなされたことを受付ける印刷指示受付手段と、
前記生成手段は、前記印刷指示受付手段によって前記紙媒体の印刷指示がなされたことを受付けると、前記スキャンチケットを生成し、
前記表示情報生成手段は、前記生成手段によって生成したスキャンチケットに対応して前記印刷指示受付手段によって印刷指示がなされた紙媒体を前記画像処理装置の表示部へサムネイル表示するための表示情報を生成することを特徴とする請求項４乃至６の何れか１項に記載の情報処理装置。
【請求項８】
撮影機能を備えた装置によって前記紙媒体を撮影して得られた画像データを用いて登録を行うか、あるいは、行わないかの選択を受付ける選択受付手段を備え、
前記選択受付手段によって登録を行うことの選択を受付けると、記印刷指示受付手段によって前記紙媒体の印刷指示がなされた後、前記生成手段によってスキャンチケットを生成せず、一方、前記選択受付手段によって登録を行わないことの選択を受付けると、前記生成手段は、前記印刷指示受付手段によって前記紙媒体の印刷指示がなされたことを受付けると、前記スキャンチケットを生成する、
ことを特徴とする請求項７に記載の情報処理装置。
【請求項９】
撮影機能を備えた装置、紙媒体の記載内容をデータとして登録する情報処理装置、及び前記紙媒体をスキャンすることで画像データを取得する画像処理装置がネットワークを介して接続された情報処理システムであって、
前記撮影機能を備えた装置は、
前記紙媒体を撮影して得られた画像データを前記情報処理装置へ送信する画像データ送信手段と、
を備え、
前記情報処理装置は、
前記画像データ送信手段によって送信された画像データを受信する画像受信手段と、
前記画像受信手段で受信した画像データに対する文字認識を行う認識手段と、
前記画像処理装置で前記紙媒体をスキャンさせるための設定にかかるスキャンチケットを生成する生成手段と、
前記生成手段によって生成したスキャンチケットを前記画像処理装置へ送信するチケット送信手段と、
前記画像処理装置のスキャン画像送信手段によって送信された画像データを受信するスキャン画像受信手段と、
前記認識手段の文字認識結果に従って、前記撮影して得られた画像データからデータを登録するべく、前記生成手段によってスキャンチケットを生成することなく、前記画像受信手段で受信した画像データから取得されるデータを登録するか、あるいは、前記撮影して得られた画像データからデータを登録せずに、前記生成手段によってスキャンチケットを生成して、前記スキャン画像受信手段によって受信した当該スキャンチケットを用いてスキャンして得られた画像データから、取得されるデータを登録するかを切り替える登録切替手段と、
を備え、
前記画像処理装置は、
前記チケット送信手段によって送信されたスキャンチケットを受信するチケット受信手段と、
前記チケット受信手段によって受信したスキャンチケットを用いて前記紙媒体をスキャンして得られた画像データを前記情報処理装置へ送信するスキャン画像送信手段と、
を備えることを特徴とする情報処理システム。
【請求項１０】
紙媒体の記載内容をデータとして登録する情報処理装置の制御方法であって、
前記情報処理装置は、
撮影機能を備えた装置によって前記紙媒体を撮影して得られた画像データを受信する受信ステップと、
前記受信ステップで受信した画像データに対する文字認識を行う認識ステップと、
画像処理装置で前記紙媒体をスキャンさせるための設定にかかるスキャンチケットを生成する生成ステップと、
前記生成ステップによって生成したスキャンチケットを用いて前記画像処理装置で前記紙媒体をスキャンして得られた画像データを受け付ける受付ステップと、
前記認識ステップの文字認識結果に従って、前記撮影して得られた画像データからデータを登録するべく、前記生成ステップによってスキャンチケットを生成することなく、前記受信ステップで受信した画像データから取得されるデータを登録するか、あるいは、前記撮影して得られた画像データからデータを登録せずに、前記生成ステップによってスキャンチケットを生成して、前記受付ステップによって受け付けた当該スキャンチケットを用いてスキャンして得られた画像データから、取得されるデータを登録するかを切り替える登録切替ステップと、
を実行することを特徴とする情報処理装置の制御方法。
【請求項１１】
紙媒体の記載内容をデータとして登録する情報処理装置で読み取り実行可能なプログラムであって、
前記情報処理装置を、
撮影機能を備えた装置によって前記紙媒体を撮影して得られた画像データを受信する受信手段と、
前記受信手段で受信した画像データに対する文字認識を行う認識手段と、
画像処理装置で前記紙媒体をスキャンさせるための設定にかかるスキャンチケットを生成する生成手段と、
前記生成手段によって生成したスキャンチケットを用いて前記画像処理装置で紙媒体をスキャンして得られた画像データを受け付ける受付手段と、
前記認識手段の文字認識結果に従って、前記撮影して得られた画像データからデータを登録するべく、前記生成手段によってスキャンチケットを生成することなく、前記受信手段で受信した画像データから取得されるデータを登録するか、あるいは、前記撮影して得られた画像データからデータを登録せずに、前記生成手段によってスキャンチケットを生成して、前記受付手段によって受け付けた当該スキャンチケットを用いてスキャンして得られた画像データから、取得されるデータを登録するかを切り替える登録切替手段と、
して機能させることを特徴とするプログラム。
【請求項１２】
撮影機能を備えた装置、紙媒体の記載内容をデータとして登録する情報処理装置、及び前記紙媒体をスキャンすることで画像データを取得する画像処理装置がネットワークを介して接続された情報処理システムの制御方法であって、
前記撮影機能を備えた装置は、
前記紙媒体を撮影して得られた画像データを前記情報処理装置へ送信する画像データ送信ステップ、
を実行し、
前記情報処理装置は、
前記画像データ送信ステップによって送信された画像データを受信する画像受信ステップと、
前記画像受信ステップで受信した画像データに対する文字認識を行う認識ステップと、
前記画像処理装置で前記紙媒体をスキャンさせるための設定にかかるスキャンチケットを生成する生成ステップと、
前記生成ステップによって生成したスキャンチケットを前記画像処理装置へ送信するチケット送信ステップと、
前記画像処理装置のスキャン画像送信ステップによって送信された画像データを受信するスキャン画像受信ステップと、
前記認識ステップの文字認識結果に従って、前記撮影して得られた画像データからデータを登録するべく、前記生成ステップによってスキャンチケットを生成することなく、前記画像受信ステップで受信した画像データから取得されるデータを登録するか、あるいは、前記撮影して得られた画像データからデータを登録せずに、前記生成ステップによってスキャンチケットを生成して、前記スキャン画像受信ステップによって受信した当該スキャンチケットを用いてスキャンして得られた画像データから、取得されるデータを登録するかを切り替える登録切替ステップと、
を実行し、
前記画像処理装置は、
前記チケット送信ステップによって送信されたスキャンチケットを受信するチケット受信ステップと、
前記チケット受信ステップによって受信したスキャンチケットを用いて前記紙媒体をスキャンして得られた画像データを前記情報処理装置へ送信するスキャン画像送信ステップと、
を実行することを特徴とする情報処理システム。
【請求項１３】
撮影機能を備えた装置、紙媒体の記載内容をデータとして登録する情報処理装置、及び前記紙媒体をスキャンすることで画像データを取得する画像処理装置がネットワークを介して接続された情報処理システムの制御方法であって、
前記撮影機能を備えた装置を、
前記紙媒体を撮影して得られた画像データを前記情報処理装置へ送信する画像データ送信手段、
として機能させ、
前記情報処理装置を、
前記画像データ送信手段によって送信された画像データを受信する画像受信手段と、
前記画像受信手段で受信した画像データに対する文字認識を行う認識手段と、
前記画像処理装置で前記紙媒体をスキャンさせるための設定にかかるスキャンチケットを生成する生成手段と、
前記生成手段によって生成したスキャンチケットを前記画像処理装置へ送信するチケット送信手段と、
前記画像処理装置のスキャン画像送信手段によって送信された画像データを受信するスキャン画像受信手段と、
前記認識手段の文字認識結果に従って、前記撮影して得られた画像データからデータを登録するべく、前記生成手段によってスキャンチケットを生成することなく、前記画像受信手段で受信した画像データから取得されるデータを登録するか、あるいは、前記撮影して得られた画像データからデータを登録せずに、前記生成手段によってスキャンチケットを生成して、前記スキャン画像受信手段によって受信した当該スキャンチケットを用いてスキャンして得られた画像データから、取得されるデータを登録するかを切り替える登録切替手段と、
して機能させ、
前記画像処理装置を、
前記チケット送信手段によって送信されたスキャンチケットを受信するチケット受信手段と、
前記チケット受信手段によって受信したスキャンチケットを用いて前記紙媒体をスキャンして得られた画像データを前記情報処理装置へ送信するスキャン画像送信手段と、
して機能させることを特徴とするプログラム。